(57)【要約】【要  約】【課  題】従来の蛍光灯は、電力消費に優れるが点灯直後の照度は低く設計照度に至るまでに時間を要した及び点灯直後や極短い時間内での繰り返しの点灯消灯には不向きで且つ寿命を縮める要因であった。白熱灯は電力消費に劣るが点灯直後から設計照度を発揮し且つ繰り返しの点灯消灯に優れる。以上のように蛍光灯と白熱灯は相反する長所と短所がありこれら二つの長所を併せ持つ照明灯は無い。【解決手段】本発明の白蛍灯は、点灯直後は白熱灯成分で設計照度を発揮し更に一定時間を経ると電力消費に優れた蛍光灯成分が点灯開始してそのあと白熱灯成分は消灯する。点灯直後から長時間点灯に至るまで及び極短時間の荷電ＯＮＯＦＦの繰り返し点灯の際も常に設計照度の発揮ができることを特徴とする白蛍灯に関するものである。【選択図】  図１
2009259717.tif 000002
【特許請求の範囲】
【請求項１】
蛍光灯と称する球自体へ白熱灯と称する球自体を又は白熱灯と称する球自体へ蛍光灯と称する球自体を同一体の球として合体編成させ単個となることを特徴とする白蛍灯。
【請求項２】
球自体へタイマーによるスイッチ作動を備えることを特徴とする白蛍灯
【請求項３】
球自体へバイメタルによるスイッチ作動を備えることを特徴とする白蛍灯。
【請求項４】
球自体へ温度センサーによるスイッチ作動を備えることを特徴とする白蛍灯。  
【請求項５】
請求項１及び請求項６の球自体を同一体の球として合体編成させ単個となることを特徴とする白蛍灯を構成する蛍光灯成分と白熱灯成分この二つの成分のうち荷電の順序は白熱灯成分から始まり時間差をとり次に蛍光灯成分へ移行することを特徴とする白蛍灯。
【請求項６】
放電灯と称する類いの球自体へ白熱灯と称する球自体を又は白熱灯と称する球自体へ放電灯と称する類いの球自体を同一体の球として合体編成させ単個となることを特徴とする白蛍灯。
【請求項７】
前記の請求項１、請求項２、請求項３、請求項４、請求項５、請求項６の白蛍灯はすくなくとも汎用の電球ソケット、蛍光灯ソケット、放電管ソケットに取り付けられることを特徴とする。
【請求項８】
白熱灯成分の消灯に至る照度下降制御部を備えることを特徴とする白蛍灯。
【発明の詳細な説明】
【技術分野】
【０００１】
本発明は、荷電直後から設計照度を発し及び頻繁な短時間の荷電オンオフに球の寿命は影響されず且つ長時間使用の際には消費電力の低減ができることを特徴とする白蛍灯に関するものである。
【背景技術】
【０００２】
従来、蛍光灯は消費電力に優れていたが点灯開始直後の照度は低く設計照度へ達するまでに時間を要し故に頻繁な短時間の荷電オンオフには適さずまた短寿命の要因であった。白熱灯は点灯開始直後から設計照度を発し故に頻繁な短時間の荷電オンオフに適し優れていたが消費電力は劣っていた。
例えば（特許文献１〜９）がある。
【特許文献１】特許公開平１１−２６０１２５
【特許文献２】特許公開２０００−２７６９３５
【特許文献３】特許公開２００１−１２６８７９
【特許文献４】特許公開２００１−１８９１９５
【特許文献５】特許公開２００３−１２３５３０
【特許文献６】特許公開２００４−３１０９３又は特許出願２００２−１８４９９９
【特許文献７】特許公開２００５−１９０８９９
【特許文献８】特許公開２００６−１７３０７６
【特許文献９】特許公開２００７−５２７５９９
【０００３】
前記らはなされているがいずれも白蛍灯の技術とは異なり満足できるものはない。
【発明の開示】
【発明が解決しようとする課題】
【０００４】
従来の技術では、点灯直後から設計照度を発し且つ頻繁な短時間の荷電オンオフに適し且つ消費電力に優れた長所を併せ持ち且つ長寿命な蛍光灯は無いという課題があった。
【０００５】
従がって本発明の目的とするところは従来の課題を解決するもので、点灯直後から設計照度を発し且つ頻繁な短時間の荷電オンオフに適し且つ消費電力に優れる長所を併せ持ち且つ長寿命な利点を可能にするところにある。
【課題を解決するための手段】
【０００６】
本発明は、蛍光灯と称する球自体へ白熱灯と称する球自体を又は白熱灯と称する球自体へ蛍光灯と称する球自体を同一体の球として合体編成させ単個とし荷電直後は白熱灯成分を点灯させてそのあとの一定時間経過後に荷電を切り替えて蛍光灯成分の点灯を開始させる。荷電の切り替えはオーバーラップの時間帯を経て行ない且つ荷電を断たれた白熱灯成分は消灯し蛍光灯成分は点灯を続ける。
【０００７】
また、荷電直後のまもなくに荷電を断ったとき白熱灯成分は点灯後左記のまもなくと同時に消灯するが蛍光灯成分は点灯には及ばない。
【発明の効果】
【０００８】
本発明の白蛍灯は、最初に白熱灯成分へ荷電させ発光後直ちに設計照度を発しながら同時にその発光熱により蛍光灯成分の放電など部品及び管球内へ封じられているガスを温め従来に比べ短時間で設計照度に至る荷電発光待ち状態を促す。ここで荷電を断つと白蛍灯は消灯する。荷電を続けると一定時間経過後に白熱灯成分から蛍光灯成分へ荷電は切り替わり白熱灯成分は消灯し蛍光灯成分が点灯する。白蛍灯は点灯直後から設計照度を発光し且つ長時間の点灯に際して電力消費に優れ且つ秒単位または分単位の頻繁な点灯消灯の繰り返しに優れる。
【発明を実施するための最良の形態】
【０００９】
従来の課題を解決するために本発明の白蛍灯は、図１で（１）の光束通過ハウジングの中へ（２）の白熱灯成分と（３）の蛍光灯成分を備え（４）のバイメタルと（５）の照度下降制御部を（６）の電極兼口金の中へ具備し（７）の他方電極を備える。
【実施例１】
【００１０】
図１は、実施例１における白蛍灯を示すものである。
【００１１】
図１において、光束通過ハウジング（１）の中へ白熱灯成分（２）と蛍光灯成分（３）を備え電極兼口金（６）の中へバイメタル（４）と照度下降制御部（５）を具備し他電極（７）を電極兼口金に備える。及び電極兼口金（６）の中へ蛍光灯成分（３）の点灯に必要な従来の部品を備える。照明のため荷電スイッチをＯＮにすると白熱灯成分（２）が発光点灯するとともに発熱する及び点灯時間が続くと発熱温度は次第に上昇しその熱で蛍光灯成分（３）は温められる且つそのうちにバイメタル（４）は前記発熱の伝導熱で作動し蛍光灯成分（３）の点灯回路がＯＮして点灯するがその後バイメタル（４）の作動が更に進むと白熱灯成分（２）はバイメタル（４）のスイッチ動作により荷電を断たれ消灯する。照明の荷電スイッチがＯＦＦになるまで蛍光灯成分（３）は点灯を続ける。
【００１２】
荷電切り替え作動の詳細だが白熱灯成分が点灯した後にバイメタル（４）の作動が始まると初め白熱灯成分（２）と蛍光灯成分（３）はオーバーラップの荷電が始まり更にバイメタル（４）の作動が進むと白熱灯成分（２）は照度下降制御（５）を経て荷電を断つがこの間白蛍灯全体の切り替え時の照度を滑らかに保ちつつ蛍光灯成分は点灯している。
【実施例２】
【００１３】
図２は、実施例２における白蛍灯を示すものである。
【００１４】
図２において、蛍光灯成分（３）の中へ白熱灯成分（２）を備え口金（８）の中へバイメタル（４）と照度下降制御部（５）を具備する。及び蛍光灯成分（３）は点灯に必要な従来の部品を備える。照明のため荷電スイッチをＯＮにすると白熱灯成分（２）が発光点灯するとともに発熱する及び点灯時間が続くと発熱温度は次第に上昇しその熱で蛍光灯成分（３）は温められる且つそのうちにバイメタル（４）は前記発熱の伝導熱で作動し蛍光灯成分（３）の点灯回路がＯＮして点灯するがその後バイメタル（４）の作動が更に進むと白熱灯成分（２）はバイメタル（４）のスイッチ動作により荷電を断たれ消灯する。照明の荷電スイッチがＯＦＦになるまで蛍光灯成分（３）は点灯を続ける。
【００１５】
荷電切り替え作動の詳細だが白熱灯成分が点灯した後にバイメタル（４）の作動が始まると初め白熱灯成分（２）と蛍光灯成分（３）はオーバーラップの荷電が始まり更にバイメタル（４）の作動が進むと白熱灯成分（２）は照度下降制御（５）を経て荷電を断つがこの間白蛍灯全体の切り替え時の照度を滑らかに保ちつつ蛍光灯成分は点灯している。
【産業上の利用可能性】
【００１６】
以上のように本発明にかかる白蛍灯は、一時的に暗い部屋へ入る際に荷電直後から本領の明るさを発揮し及び瞬時の繰り返しの点灯消灯に際しても不都合なく点灯消灯を追従し且つ長時間の点灯に際しては電力消費に優れるという利点を可能にするところにある。
【図面の簡単な説明】
【００１７】
【図１】本発明の白蛍灯を示した図である。実施例１
【図２】本発明の白蛍灯を示した図である。実施例２
【符号の説明】
【００１８】
１  光束通過ハウジング
２  白熱灯成分
３  蛍光灯成分
４  バイメタル
５  照度下降制御部
６  電極兼口金
７  他方電極
８  口金
【図１】
2009259717.tif 000003
【図２】
2009259717.tif 000004